(57)【要約】【課題】円滑にバリア羽根を作動させて適切な閉鎖状態を実現し、係る閉鎖状態の外観の向上を図ることを目的とする。【解決手段】この目的を達成するため、各バリア羽根の閉鎖動作を行う際に、駆動リングが回転駆動して、各バリア羽根をバリアベースに対して回動させて、バリア羽根の合わせ部が当接させた後、駆動リングが更に回転して、バリアベースのバリア羽根押圧手段と、駆動リングのカム部とが協動して、バリア羽根の支点部を被写体側にシフト移動させるバリア機構を採用する。【選択図】図１
2013109091.tif 000002
【特許請求の範囲】
【請求項１】
複数のバリア羽根と、バリアベースと、駆動リングとを備えるバリア機構であって、
当該バリアベースは、光軸方向に対して開口する開口部と、その開口部外周のリム部とからなり、
当該各バリア羽根は、当該バリアベースに回動自在に係合され、当該バリア羽根同士が協動して自在に離着動作を行うことで、当該バリアベースの開口部の開閉を行うように機能するものであり、
当該駆動リングは、回転駆動することによって、各バリア羽根をバリアベースに対して回動させるものであり、
当該バリア羽根の合わせ部が当接した後、当該駆動リングを更に回転させ、バリア羽根の支点部を被写体側にシフト移動させることを特徴とする撮像装置のバリア機構。
【請求項２】
前記複数のバリア羽根と、バリアベースと、駆動リングは、順次積層配置した構成され、
前記バリアベースは、リム部にバリア羽根押圧手段を備え、
前記駆動リングは、当該各バリア羽根の閉鎖動作を行う際に、当該バリア羽根の支点部を被写体側に移動させるためのカム部を備え、
当該バリア羽根の合わせ部が当接した後、当該駆動リングを更に回転させ、当該バリアベースのバリア羽根押圧手段と、当該駆動リングのカム部とが協動して、バリア羽根の支点部を被写体側にシフト移動させる請求項１の撮像装置のバリア機構。
【請求項３】
前記バリア羽根押圧手段は、光軸方向に変位自在な操作片により構成され、
前記カム部は、傾斜面を有して被写体側に突出して形成され、
当該操作片は、前記バリア羽根の合わせ部が当接した後、更に前記駆動リングを回転させることによって、当該カム部の傾斜面に沿って被写体側にシフト移動する請求項２に記載の撮像装置のバリア機構。
【請求項４】
前記バリアベースのリム部には、前記カム部を収容可能とする退避孔が形成され、当該退避孔には、前記バリア羽根の合わせ部が当接する位置以外における当該カム部が退避される請求項２又は請求項３に記載の撮像装置のバリア機構。
【請求項５】
前記操作片は、弾性材にて構成されて、前記各バリア羽根に常時当接する請求項３又は請求項４に記載の撮像装置のバリア機構。
【請求項６】
前記バリアベースには、当該バリアベースのリム部を被覆するバリアカバーが取り付けられると共に、当該バリアカバーと当該バリアベースとの間に前記各バリア羽根が収容される羽根室が画成される請求項１〜請求項５のいずれかに記載の撮像装置のバリア機構。
【発明の詳細な説明】
【技術分野】
【０００１】
本件出願に係る発明は、非撮像時におけるカメラの対物レンズを保護するバリア機構に関し、特に、複数枚のバリヤ羽根を用いた撮像装置のバリア機構に関する。
【背景技術】
【０００２】
従前より、非撮像時におけるレンズを保護する撮像装置のバリア機構は、対物レンズを覆う複数枚のバリア羽根と、当該バリア羽根を駆動する駆動機構を備えている。この駆動機構が各バリア羽根を駆動して、外部に対して対物レンズを開放した状態と、遮断した状態とする。
【０００３】
例えば、特許文献１に示すレンズバリアユニットでは、開口部を画定するベースリングと、ベースリングに回動自在に支持された２枚のバリア羽根と、開口部の周りに回動自在に支持されて回動により２枚のバリア羽根を開閉駆動する駆動リング（回動リング）等を備えている。
【０００４】
各バリア羽根は、駆動リングとカバーとの間に形成される羽根室内に収容された状態で、支持軸を中心として回転する。この際、バリア羽根は、閉じる方向に付勢されるバネの一端が支持軸に隣接して係止される。バネの他端は、駆動リングに係止される。
【０００５】
そのため、バリア羽根が閉じた状態では、バリア羽根の支持軸側がバネによってベース側に付勢されて、バリア羽根の支持軸とは反対側となる先端部が、カバー側に迫り上がった状態となる。バリア羽根の先端部は、羽根室のクリアランス分、カバー側に倒れるため、バリア羽根同士の当接部（合わせ部分）においてねじれが生じ、外観が悪化する問題がある。
【０００６】
そこで、羽根室のクリアランスを狭めることで合わせ部分におけるねじれを解消することが考えられるが、狭めすぎるとバリア羽根の作動不良を招来し、完全に閉じた状態とならない、所謂、薄目状態が発生してしまう。かかる薄目状態では、バリア機構本来のレンズ保護機能が損なわれてしまう。
【０００７】
従って、各構成部品の寸法や組み付けの精度が低いと、合わせ部分におけるねじれの発生や、薄目状態が発生し、外観の低下を招き、各構成部品の寸法や組み付けの精度を高めると、製造コストの高騰を招く問題がある。
【０００８】
かかる不都合を解消すべく、特許文献２では、バリア羽根同士の当接部を面一に合わせるべく光軸方向に押し出してバリア羽根に当接させるカムをベースに形成している。これにより、バリア羽根が閉じる方向に駆動リングが回転されると、バリア羽根同士の合わせ部が当接した状態から、更に駆動リングが回転されて、ベースに形成されたカムによって駆動リングがバリア羽根側に押しつけられる。そのため、駆動リングとカバーとの間に形成される羽根室が狭くなっていき、当該羽根室内に収容されたバリア羽根がカバー側に押圧されて、当該バリア羽根の光軸方向における相対的な位置が規制される。
【先行技術文献】
【特許文献】
【０００９】
【特許文献１】特開２０００−１４７５９９号公報
【特許文献２】特開２００６−１２６５５２号公報
【発明の概要】
【発明が解決しようとする課題】
【００１０】
しかしながら、上記特許文献２では、駆動リングの回転に伴って、バリア羽根が収容される羽根室のクリアランスを狭めていくことで、バリア羽根の合わせ部同士に生じるねじれを解消する構成とされているが、当該構成では、バリア羽根同士の当接面が当接した状態から、更に駆動リングが回転される過程において、駆動リングとバリア羽根とは、面接触して押圧される。そのため、摺動抵抗が大きくなって、バリア羽根自体の作動性が悪化し、場合によっては、駆動リングとカバーとの間において各構成部材同士が密着した状態で、駆動リングの回転方向に力が加えられることで作動不良が生じる。
【００１１】
この作動不良を改善するため、各構成部品の寸法精度や組み付け精度を高める必要が生じ、これによって、製造コストの高騰を招来する問題がある。
【００１２】
以上のことから、簡素な構成にてバリア羽根の作動不良を改善することができると共に、バリア羽根の合わせ部において生じるねじれを解消することができるバリア機構を提供することを目的とする。
【課題を解決するための手段】
【００１３】
そこで、本件発明者等は、鋭意研究の結果、本件発明にかかる撮像装置のバリア機構を採用することで、円滑にバリア羽根を作動させて適切な閉鎖状態を実現し、係る閉鎖状態の外観の向上を図ることができることに想到したのである。
【００１４】
本件発明にかかる撮像装置のバリア機構は、複数のバリア羽根と、バリアベースと、駆動リングとを備え、バリアベースは、光軸方向に対して開口する開口部と、その開口部外周のリム部とからなり、各バリア羽根は、バリアベースに回動自在に係合され、バリア羽根同士が協動して自在に離着動作を行うことで、バリアベースの開口部の開閉を行うように機能するものであり、駆動リングは、回転駆動することによって、各バリア羽根をバリアベースに対して回動させるものであり、バリア羽根の合わせ部が当接した後、駆動リングを更に回転させ、バリア羽根の支点部を被写体側にシフト移動させることを特徴とする。
【００１５】
そして、複数のバリア羽根と、バリアベースと、駆動リングは、順次積層配置した構成され、バリアベースは、リム部にバリア羽根押圧手段を備え、駆動リングは、各バリア羽根の閉鎖動作を行う際に、バリア羽根の支点部を被写体側に移動させるためのカム部を備え、バリア羽根の合わせ部が当接した後、駆動リングを更に回転させ、バリアベースのバリア羽根押圧手段と、駆動リングのカム部とが協動して、バリア羽根の支点部を被写体側にシフト移動させることが好ましい。
【００１６】
そして、バリア羽根押圧手段は、光軸方向に変位自在な操作片により構成され、カム部は、傾斜面を有して被写体側に突出して形成され、操作片は、バリア羽根の合わせ部が当接した後、更に駆動リングを回転させることによって、カム部の傾斜面に沿って被写体側にシフト移動することが好ましい。
【００１７】
更に、バリアベースのリム部には、カム部を収容可能とする退避孔が形成され、当該退避孔には、バリア羽根の合わせ部が当接する位置以外における当該カム部が退避されることが好ましい。
【００１８】
操作片は、弾性材にて構成されて、各バリア羽根に常時当接していることがより好ましい。
【００１９】
バリアベースには、バリアベースのリム部を被覆するバリアカバーが取り付けられると共に、バリアカバーと当該バリアベースとの間に各バリア羽根が収容される羽根室が画成されることがより好ましい。
【発明の効果】
【００２０】
本発明の撮像装置のバリア機構によれば、各バリア羽根の閉鎖動作を行う際には、駆動リングが回転駆動して、各バリア羽根がバリアベースに対して回動し、バリア羽根の合わせ部が当接する。その後、駆動リングが更に回転してバリア羽根の支点部を被写体側にシフト移動させることにより、バリア羽根同士の合わせ部において生じるねじれを補正するとともに、薄目状態を回避することができる。
【００２１】
本発明によれば、バリア羽根の支点部を、被写体側にシフト移動させて、バリア羽根のねじれを補正するため、従来のようなバリア羽根と駆動リングとが面接触して、バリア羽根のねじれを補正する場合と異なり、摺動抵抗を小さくすることができ、作動不良の発生を回避することができる。
【００２２】
これにより、円滑にバリア羽根を作動させて適切な閉鎖状態を実現し、係る閉鎖状態の外観の向上を図ることができる。
【図面の簡単な説明】
【００２３】
【図１】本発明の撮像装置のバリア機構の分解斜視図（被写体側）である。
【図２】図１のバリア機構の分解斜視図（像面側）である。
【図３】組み立てた状態のバリア機構の斜視図（被写体側）である。
【図４】組み立てた状態のバリア機構の斜視図（像面側）である。
【図５】図１のバリア機構の正面図（バリア羽根閉鎖状態）である。
【図６】図１のバリア機構の正面図（バリア羽根開放状態）である。
【図７】図５のバリア機構の背面図である。
【図８】図６のバリア機構の背面図である。
【図９】バリアベースの平面図である。
【図１０】図９のＡ−Ａ線断面図である。
【図１１】駆動リングの平面図である。
【図１２】駆動リングのＢ方向からみた斜視図である。
【図１３】バリア羽根が開放位置にある状態の被写体側からみたバリア機構の透視平面図である。
【図１４】図１３のＣ−Ｃ断面図である。
【図１５】図１３のＤ−Ｄ断面図である。
【図１６】バリア羽根が閉鎖位置にある状態の被写体側からみたバリア機構の透視平面図である。
【図１７】図１６のＧ−Ｇ断面図である。
【図１８】図１６のＩ−Ｉ断面図である。
【発明を実施するための形態】
【００２４】
以下、本件発明の撮像装置のバリア機構の最良の実施形態について、図面を参照して詳述する。この際、本実施の形態におけるバリア機構１の構造については、図１の被写体側から見たバリア機構１の分解斜視図を中心として説明する。図３の被写体側から見たバリア機構１の斜視図、図４の像面側から見たバリア機構１の斜視図、図４の分解斜視図、図５の正面図（バリア羽根１０閉鎖状態）、図６の正面図（バリア羽根１０開放状態）、図７、図８の背面図は、補助的に参照して説明する。なお、図５〜図８は、いずれもバリアカバー４０が無い状態を示している。
【００２５】
本件発明にかかる撮像装置のバリア機構１は、図示しない撮像装置の撮像レンズの被写体側に設けられ、撮像装置の鏡筒部品（不図示）との連結によって、連動して開閉駆動するバリア機構である。
【００２６】
図１からも明らかなように、当該バリア機構１は、バリアカバー４０と、複数のバリア羽根１０、１０と、バリアベース２０と、駆動リング３０とを被写体側から順次積層配置した構成を備える。また、バリア機構１は、駆動リング３０の回転駆動に伴って、バリア羽根１０、１０の位置を調整する調整機構５０を備える。
【００２７】
ここで、本実施の形態では、バリア羽根１０は２枚、設けられているが、これに限らず２枚以上の複数設けても良い。この際、バリア羽根１０は、偶数枚に限られない。以下、各構成要素ごとに説明する。
【００２８】
＜バリアベース＞
バリアベース２０は、光軸方向に対して開口する開口部２１と、その開口部２１外周のリム部２２とからなる。バリアベース２０のリム部２２の被写体側に位置する面２０Ａには、開口部２１を開放状態又は閉鎖状態とする各バリア羽根１０に対応する複数の支持軸２３が、光軸Ｌ方向に延在して設けられている。各支持軸２３は、バリアベース２０のリム部２２において、光軸Ｌを中心とした同一円周上に等角度間隔で配置されている。
【００２９】
また、当該バリアベース２０のリム部２２には、各バリア羽根１０、１０が閉鎖位置にある場合にのみ、該各バリア羽根１０の位置補正を行うバリア羽根押圧手段としての操作片２４、２４がそれぞれ設けられている。操作片２４の詳細については後述する。
【００３０】
更に、バリアベース２０のリム部２２には、各バリア羽根１０の連結片１２を挿通可能とする透孔２８、２８が各バリア羽根１０に対応して形成されている。図中２９は、バリアベース２０の被写体側に位置する各バリア羽根１０の回転動作に沿って形成されるガイドリブであり、バリアベース２０のリム部の被写体側に位置する面２０Ａに形成されている。これにより、バリアベース２０と各バリア羽根１０とは、当該ガイドリブ２９による点接触とされる。
【００３１】
本実施の形態では、各バリア羽根１０は、光軸Ｌが通る仮想点Ｐ（図５参照）を中心として点対称となる位置に設けるため、各バリア羽根１０を支持する各支持軸２３、及び、各バリア羽根１０の位置補正を行う各操作片２４、透孔２８は、同様に光軸Ｌが通る仮想点を中心として点対称となる位置に設けられる。
【００３２】
また、バリアベース２０の開口部２１の開口縁部には、像面側に突出した筒状のカラー２７が形成されている。更に、バリアベース２０の外周縁部には、後述するバリアカバー４０の係合部４２と着脱自在に嵌合する被係合部２６が複数形成されている。
【００３３】
＜バリアカバー＞
バリアカバー４０は、バリアベース２０のリム部２２を被写体側から被覆するカバー部材であり、バリアベース２０の開口部２１と重合する開口４１が形成されている。このバリアカバー４０は、外周縁部から像面側に延在する係合部４２が複数形成されており、当該係合部４２は、上記バリアベース２０の外周縁部に形成された各被係合部２６と着脱自在に嵌合する。
【００３４】
そして、バリアベース２０にバリアカバー４０が取り付けられた状態で、当該バリアベース２０とバリアカバー４０との間には、各バリア羽根１０が収納される羽根室２が画成される。
【００３５】
また、バリアカバー４０の像面側の面４０Ｂには、バリアカバー４０の像面側に位置する各バリア羽根１０の回転動作に沿って複数のガイドリブ４３が形成されている。これにより、バリアカバー４０と各バリア羽根１０とは、当該ガイドリブ４３による点接触とされる。更に、バリアカバー４０の像面側の面４０Ｂには、バリアベース２０の各支持軸２３、２３の端部を保持する各軸受け部４４、４４が形成されている。
【００３６】
これにより、バリアカバー４０は、その像面側の面４０Ｂのガイドリブ４３が各バリア羽根１０の被写体側の面１０Ａに当接可能に配置されることにより、各バリア羽根１０、１０の光軸方向の位置を駆動リング３０と協働して規定する役割を果たす。
【００３７】
＜バリア羽根＞
各バリア羽根１０は、薄板状に形成されており、バリア羽根１０、１０同士が協動して自在に離着動作を行うことで、バリアベース２０の開口部２１を開放状態又は閉鎖状態とするように機能する。すなわち、各バリア羽根１０、１０が開放位置にある場合には、図５に示すようにバリアベース２０の開口部２１を開放して、レンズを使用可能とし、各バリア羽根１０、１０が閉鎖位置にある場合には、図６に示すように、バリアベース２０の開口部２１は、当該バリア羽根１０、１０によって閉鎖され、撮像装置の非使用時におけるレンズを保護する。
【００３８】
各バリア羽根１０は、バリアベース２０の各支持軸２３にそれぞれ回動自在に係合するための連結孔１１、１１を備えている。各バリア羽根の連結孔１１が形成される側の支点部１５には、連結片１２が像面側に向けて折曲形成されている。この際、バリア羽根１０がバリアベース２０に取り付けられた状態で、連結片１２は、バリア羽根１０の支点部１５であって、支持軸２３の開口部２１側（内径側）に配置される。
【００３９】
また、用いられるバリア羽根１０の形状をすべて同一形状とすることで、製造コストの高騰を抑制することができる。
【００４０】
なお、本実施の形態では、各バリア羽根１０に形成された連結孔１１を、バリアベース２０に形成された支持軸２３に係合することで、当該バリア羽根１０は、バリアベース２０に対し回動自在とされているが、これに限定されるものではなく、バリア羽根１０に支持軸を形成し、バリアベース２０に連結孔を形成して、バリア羽根をバリアベースに対して回動自在としても良い。
【００４１】
また、バリア羽根１０の被写体側の面には、所謂スピン加工を施してもよい。すなわち、各バリア羽根１０同士の合わせ部１４を当接させて、バリアベース２０の開口部２１を閉鎖した状態で、光軸Ｌを中心とした同心円の複数の溝により構成されるスピン加工を、各バリア羽根１０の被写体側の面に施すことで、外観の向上を図ってもよい。
【００４２】
＜駆動リング＞
駆動リング３０は、調整機構５０によって各バリア羽根１０、１０を回転駆動させる環状部材であり、撮像装置の図示しない鏡筒部品のカムにより光軸Ｌを中心として回転駆動される。この駆動リング３０は、バリアベース２０の開口部２１に形成されたカラー２７に内周面が回動自在に外嵌される。
【００４３】
そして、この駆動リング３０には、その像面側の面３０Ｂから光軸方向の像面側に突出する操作脚部３１が形成されている。この操作脚部３１が撮像装置の図示しない鏡筒部品の係合突起に当接することにより、回転駆動される。また、この駆動リング３０には、上記バリアベース２０の操作片２４を操作するカム部３４が被写体側の面３０Ａに形成されている。なお、当該カム部３４の詳細については、操作片２４の説明と併せて後述する。
【００４４】
＜調整機構＞
調整機構５０は、各バリア羽根１０を閉鎖する方向に付勢する閉鎖側付勢部材５１、５１と、各バリア羽根１０を開放する方向に付勢する開放側付勢部材５２とから構成される。各付勢部材５１、５２はいずれも縮退する方向に付勢されるコイルバネにより構成されている。
【００４５】
閉鎖側付勢部材５１は、一端を透孔２８を介して像面側に突出する上記各バリア羽根１０の連結片１２に形成された係合部１３に係合し、他端を駆動リング３０の像面側に突出した係合部３３と係合することにより、各バリア羽根１０と駆動リング３０とを連結する。この閉鎖側付勢部材５１は、縮退する方向に付勢されているため、常時バリア羽根１０の連結片１２の係合部１３が、駆動リング３０の係合部３３と近接する方向、すなわち、各バリア羽根１０を閉鎖する方向に付勢される。
【００４６】
開放側付勢部材５２は、一端を駆動リング３０の像面側の面３０Ｂに突出して形成される係合部３５に係合し、他端をバリアベース２０のカラー２７に形成された係合部１９と係合させることにより、駆動リング３０とバリアベース２０とを連結する。この開放側付勢部材５２は、縮退する方向に付勢されているため、常時駆動リング３０の係合部３５が、バリアベース２０の係合部１９と近接する方向、すなわち、駆動リング３０が各バリア羽根１０を開放させる方向に回動させる方向に付勢される。
【００４７】
＜操作片及びカム部＞
次に、上記操作片２４及びカム部３４について図９〜図１２を参照して詳述する。図９はバリアベース２０の平面図、図１０は図９のＡ−Ａ線断面図、図１１は駆動リング３０の平面図、図１２は図１１をＢ方向からみた斜視図をそれぞれ示している。
【００４８】
上述したように、バリア羽根押圧手段としての操作片２４は、バリアベース２０のリム部２２の支持軸２３側に設けられている。この操作片２４は、駆動リング３０のカム部３４によって、各バリア羽根１０の支点部１５を被写体側に押圧する部材である。本実施の形態における操作片２４は、図９及び図１０に示すように、当該バリアベース２０のリム部２２に貫通形成された連通孔６０内に収容保持された状態で設けられる。連通孔６０は、バリアベース２０のリム部２２における支持軸２３の開口部２１側（内径側）に位置して、バリア羽根１０の回動方向に延在して形成されている。
【００４９】
操作片２４は、バリアベース２０のリム部２２と同一平面上に形成された弾性材にて構成され、その一端のみが連通孔６０の縁部と連続して形成される。すなわち、本実施の形態では、操作片２４は、バリアベース２０のリム部に一体に形成されている。これにより、操作片２４は、バリアベース２０と連続した一端側を中心として他端側が光軸方向に変位自在とされる。この操作片２４の他端側の被写体側の面には、当該被写体側に突出する当接部２４Ａが形成され、像面側の面には、当該像面側に突出する当接部２４Ｂが形成されている。本実施の形態では、操作片２４が有する弾性力によって、被写体側に付勢されて、当該操作片２４の当接部２４Ａが各バリア羽根１０側に常時、当接していることがより望ましい。
【００５０】
操作片２４を操作するカム部３４は、駆動リング３０の被写体側の面３０Ａに形成されている。このカム部３４は、図１２に示すように、被写体側のバリア羽根１０に徐々に近接するように突出する傾斜面３４Ａと、当該傾斜面３４Ａの最高部から所定寸法分平らに形成される平坦部３４Ｂとから構成される。この際、各バリア羽根１０、１０の閉鎖動作において、各バリア羽根１０同士の合わせ部１４が当接する位置にあるときに、当該平坦部３４Ｂが、バリアベース２０の操作片２４と当接する位置となるように設定されている。
【００５１】
また、操作片２４が収容保持されるバリアベース２０の連通孔６０は、操作片２４の他端側と、当該連通孔６０の他端側縁部との間に所定の間隔が形成されて、当該間隔は、駆動リング３０のカム部３４を収容可能とする退避孔６０Ａを兼ねる。
【００５２】
以下、本件実施形態のバリア機構１の動作について図１３〜図１８を参照して説明する。図１３はバリア羽根１０が開放位置にある状態の被写体側からみたバリア機構１の透視平面図、図１４は図１３のＣ−Ｃ断面図及び部分拡大図、図１５は図１３のＤ−Ｄ断面図及び部分拡大図、図１６はバリア羽根１０が閉鎖位置にある状態の被写体側からみたバリア機構１の透視平面図、図１７は図１６のＧ−Ｇ断面図及び部分拡大図、図１８は図１６のＩ−Ｉ断面図及び部分拡大図をそれぞれ示している。
【００５３】
駆動リング３０の操作脚部３１が鏡筒部品の係合突起により押圧されていない状態では、駆動リング３０は、開放側付勢部材５２の付勢力によって、駆動リング３０の係合部３５とバリアベース２０の係合部１９とが近接する方向、すなわち、駆動リング３０が各バリア羽根１０、１０を開放させる方向に付勢される。
【００５４】
そのため、各バリア羽根１０は、バリアベース２０のリム部２２の被写体側に重合して図６に示すように、被写体側からみて反時計回りの回転端に位置した開放位置となる。この開放位置では、各バリア羽根１０、１０は、バリアベース２０の開口部２１を全開した状態となる。
【００５５】
この開放位置では、駆動リング３０のカム部３４は、図１４及び図１５の部分拡大図に示すように、連通孔６０の操作片２４が形成されていない箇所である退避孔６０Ａ内に退避し、操作片２４の当接部２４Ｂには、当接していない。そのため、操作片２４は、その弾性力によってのみ、バリア羽根１０の像面側の面に当接する。
【００５６】
この開放位置から、駆動リング３０の操作脚部３１が鏡筒部品の係合突起により押圧力を受けることで、駆動リング３０は、開放側付勢部材５２の付勢力に抗しつつ、被写体側からみて光軸Ｌを中心として時計回りに回転すると、バリア羽根１０は、閉鎖側付勢部材５１の付勢力によって、支持軸２３を中心に、被写体側からみて時計回りに回転する閉鎖動作を行う。すなわち、閉鎖側付勢部材５１の付勢力によって、バリア羽根１０の連結片１２の係合部１３が、駆動リング３０の係合部３３と近接する方向に移動する。
【００５７】
これにより、バリア羽根１０、１０は、支持軸２３を中心として、バリアベース２０の開口部２１を閉鎖する方向に回動することで、各バリア羽根１０の合わせ部１４同士が当接する当接位置となる。
【００５８】
この開放位置から当接位置に至る過程で、各バリア羽根１０、１０は、バリアベース２０の被写体側の面２０Ａに形成されたガイドリブ２９と、バリアカバー４０の像面側の面４０Ｂに形成されたガイドリブ４３と点接触しながら、それぞれ支持軸２３を中心として同一平面上を回転移動する。また、バリアベース２０に形成された操作片２４は、常時バリア羽根１０側に当接するように付勢されて構成されているため、この操作片２４の当接部２４Ａによってもバリア羽根１０が支持される。
【００５９】
そして、上記バリア羽根１０の閉鎖動作において、各バリア羽根１０の合わせ部１４同士が当接した後、更に、駆動リング３０の操作脚部３１が鏡筒部品の係合突起により押圧力を受けることで、駆動リング３０は、被写体側からみて光軸Ｌを中心として更に時計回りに回転する。
【００６０】
駆動リング３０が当接位置から更にバリア羽根１０を閉鎖する方向に回転駆動されると、当該閉鎖動作における開放位置から当接位置に至るまでの間、連通孔６０の操作片２４が形成されていない箇所である退避孔６０Ａ内に退避しながら移動していた駆動リング３０のカム部３４は、バリアベース２０に形成された操作片２４の当接部２４Ｂと当接する。
【００６１】
これによって、操作片２４は、カム部３４の傾斜面３４Ａと当接することで、被写体側にシフト移動して、バリア羽根１０の支点部１５を被写体側に位置するバリアカバー４０側に徐々に押圧していく（図１７、図１８の部分拡大図中、太線矢印方向）。そして、駆動リング３０の回転駆動によって、操作片２４がカム部３４の平坦部３４Ｂにまで到達すると、操作片２４の被写体側へのシフト移動が保持される（図１７、図１８の部分拡大図）。この平坦部３４Ｂに操作片２４が位置した状態で、各バリア羽根１０は、被写体側からみて時計回りの回転端に位置した閉鎖位置となる。
【００６２】
従来では、かかる操作片２４により構成されるバリア羽根押圧手段が設けられていなかったため、バリア羽根１０の支点部１５（連結片１２）が閉鎖側付勢部材５１によって駆動リング３０の係合部３３側、すなわち、像面側に引き寄せられ、バリア羽根１０の支点部１５とは反対側に位置する端部、他端側１６がバリアベース２０とバリアカバー４０との間に形成される羽根室２の間隔寸法分だけ被写体側に倒れる。
【００６３】
点対称に配置されるバリア羽根１０、１０同士が逆方向に引っ張られることによって、合わせ部１４同士にねじれが発生する。
【００６４】
これに対し、本件発明では、各バリア羽根１０の合わせ部１４同士が接した当接位置から、更に駆動リング３０を回転させて、カム部３４と操作片２４とが協働して各バリア羽根１０の支点部１５を支持軸２３に沿って被写体側にシフト移動させる。そのため、閉鎖側付勢部材５１のバリア羽根１０の支点部１５側を被写体側にシフト移動させて、当該バリア羽根１０の他端部１６側のみならず、支点部１５をもバリアカバー４０の像面側の面４０Ｂ側に押圧することができる。これにより、バリア羽根１０の他端部１６側と支点部１５とがバリアカバー４０によって規制され、支点部１５が像面側、他端部１６が被写体側に引っ張られる捻れ状態、すなわち、各バリア羽根１０の合わせ部１４同士の段差を平らな状態に補正することができる。そのため、各バリア羽根１０、１０の合わせ部１４同士の重合状態を適切なものとでき、ねじれ状態を改善することができる。
【００６５】
特に、操作片２４とカム部３４によるバリア羽根１０の支点部１５のシフト移動は、バリア羽根１０の閉鎖動作において、各バリア羽根１０の合わせ部１４が当接した状態から徐々にカム部３４の傾斜面３４Ａから平坦部３４Ｂに渡って押圧していく構成とされているため、開放位置から閉鎖位置にまで渡る閉鎖動作の全体にわたって、バリア羽根１０の支点部１５を被写体側に押圧していく場合と異なり、バリア羽根１０の同一平面上における回動状態を維持でき、円滑に、バリア羽根１０の合わせ部１４を当接させることができる。合わせ部１４同士を当接させた状態から、支点部１５の被写体側への押圧操作を行うことで、摺動抵抗を著しく小さく抑えることができる。
【００６６】
従って、上述した従来のようなバリア羽根と駆動リングとが面接触して、バリア羽根のねじれを補正する場合と異なり、摺動抵抗を小さくすることができ、作動不良の発生を回避することができる。
【００６７】
これにより、円滑にバリア羽根１０を作動させて適切な閉鎖状態を実現し、各バリア羽根１０、１０による開口部２１の閉鎖状態における外観の向上を図ることができる。
【００６８】
特に、本実施の形態に示すように、バリア羽根１０にスピン加工が施されている場合には、合わせ部１４にずれが発生していると、外観の大きな低下を招くこととなるが、本件発明を採用することで、外観の向上を図ることができる。
【００６９】
また、本実施の形態では、駆動リング３０に形成されたカム部３４は、バリア羽根１０の合わせ部１４が当接する位置以外、すなわち、閉鎖位置から当接位置までにおいて、バリアベース２０のリム部２２に形成された退避孔６０Ａ内に退避する構成とされているため、バリアベース２０とバリアカバー４０との間に形成される羽根室２のクリアランスを適切に維持できる。従って、カム部３４により悪影響を与えられることなく、各バリア羽根１０を支障なく滑らかに回転させることができる。
【産業上の利用可能性】
【００７０】
以上のように、本件発明に係るバリア機構は、撮像装置の撮像レンズの被写体側に設けられて、レンズの非使用時にレンズの被写体側に設けられたバリア羽根を閉じることにより、外部からの衝撃や汚染などからレンズを保護する場合に有効であり、特に、このバリア羽根の適切な閉鎖状態を実現すると共に、開閉動作を円滑とすることができる本願発明は、有効である。
【符号の説明】
【００７１】
１    バリア機構
２    羽根室
１０    バリア羽根
１０Ａ  被写体側の面
１１    連結孔
１２    連結片
１３、１９、３３、４２  係合部
１４    合わせ部
１５    支点部
１６    他端部
２０    バリアベース
２０Ａ  被写体側に位置する面
２１    開口部
２２    リム部
２３    支持軸
２４    操作片（バリア羽根押圧手段）
２４Ａ、２４Ｂ  当接部
２６    被係合部
２８    透孔
２９    ガイドリブ
３０    駆動リング
３０Ａ  被写体側の面
３０Ｂ  像面側の面
３１    操作脚部
３４    カム部
３５    係合部
４０    バリアカバー
４０Ｂ  像面側の面
４１    開口
４３    ガイドリブ
５０    調整機構
５１    閉鎖側付勢部材
５２    開放側付勢部材
６０    連通孔
６０Ａ  退避孔
【図１】
2013109091.tif 000003
【図２】
2013109091.tif 000004
【図３】
2013109091.tif 000005
【図４】
2013109091.tif 000006
【図５】
2013109091.tif 000007
【図６】
2013109091.tif 000008
【図７】
2013109091.tif 000009
【図８】
2013109091.tif 000010
【図９】
2013109091.tif 000011
【図１０】
2013109091.tif 000012
【図１１】
2013109091.tif 000013
【図１２】
2013109091.tif 000014
【図１３】
2013109091.tif 000015
【図１４】
2013109091.tif 000016
【図１５】
2013109091.tif 000017
【図１６】
2013109091.tif 000018
【図１７】
2013109091.tif 000019
【図１８】
2013109091.tif 000020